(57)【要約】【課題】支持体を縦支柱に連結するための構造のコストダウンと、支持体の連結作業の容易化と、を図ることができるキャップ体を提供する。【解決手段】キャップ体５におけるキャップ部分１１における、当該キャップ部分１１を縦支柱１の上端部に被せた装着状態で縦支柱１の外部に位置する外部部分に、パネル体２を支持する支持体６が備える嵌合部が嵌合する被嵌合部１３を備え、支持体６を、当該支持体６に備えられた嵌合部を被嵌合部１３に嵌合させることでキャップ部分１１に装着自在に構成する。【選択図】図５
2015161121.tif 000002
【特許請求の範囲】
【請求項１】
一対の縦支柱の間にパネル体が設置される柵設備における前記縦支柱の上端部に装着するキャップ体であって、
前記縦支柱に被せるキャップ部分を備え、
前記キャップ部分は、当該キャップ部分を前記縦支柱の上端部に被せた装着状態で前記縦支柱の外部に位置する外部部分に、前記パネル体を支持する支持体に備えられた嵌合部が嵌合する被嵌合部を備え、
前記支持体は、当該支持体に備えられた嵌合部を前記被嵌合部に嵌合させることで前記キャップ部分に装着自在に構成されているキャップ体。
【請求項２】
前記被嵌合部が、前記外部部分の横側面に周方向に沿って複数備えられている請求項１記載のキャップ体。
【請求項３】
前記支持体と請求項１又は２記載のキャップ体とで構成されたキャップセット。
【請求項４】
請求項１〜３のいずれか１項に記載のキャップ体が備えられた柵設備であって、
前記支持体が、前記パネル体に対して下方から係合して支持する係合部を備え、
前記パネル体が、前記係合部に対して上方から係合自在な被係合部を備えている柵設備。
【請求項５】
前記被係合部は、前記パネル体の上端部が支柱並び方向視で逆Ｕ字状に屈曲形成されることで形成されている請求項４記載の柵設備。
【発明の詳細な説明】
【技術分野】
【０００１】
本発明は、一対の縦支柱の間にパネル体が設置される柵設備における前記縦支柱の上端部に装着するキャップ体、並びに、そのキャップ体を備えるキャップセット及び柵設備に関する。
【背景技術】
【０００２】
かかるキャップ体の従来例が、特開平６−２４８８３２号公報（特許文献１）に記載されている。特許文献１のキャップ体は、縦支柱に装着した状態で縦支柱に挿入される挿入部分と、縦支柱に装着した状態で縦支柱から上方に突出するキャップ部分と、を備えており、挿入部分を筒状の縦支柱に挿入させて縦支柱に装着するものである。
そして、特許文献１のキャップ体は、キャップ体の挿入部分に雌ネジ部を備えておき、パネルを支持する支持体をボルトを用いて縦支柱に連結するときに、ボルトを挿入部分の雌ネジ部に螺合させることで、キャップ体の挿入部分をタッププレートとして利用できるようになっている。
【先行技術文献】
【特許文献】
【０００３】
【特許文献１】特開平６−２４８８３２号公報
【発明の概要】
【発明が解決しようとする課題】
【０００４】
上記した特許文献１のキャップ体では、タッププレートを別途設ける必要がないため、支持体を連結するための構造のコストダウンを図れるが、支持体を縦支柱に連結するためにボルトを用いる必要があるため、支持体の連結作業が煩わしいものであった。
【０００５】
そこで、支持体を縦支柱に連結するための構造のコストダウンを図りながら、支持体の連結作業の容易化を図ることが求められる。
【課題を解決するための手段】
【０００６】
本発明に係るキャップ体の特徴構成は、一対の縦支柱の間にパネル体が設置される柵設備における前記縦支柱の上端部に被せるキャップ体において、
前記縦支柱に被せるキャップ部分を備え、前記キャップ部分は、当該キャップ部分を前記縦支柱の上端部に被せた装着状態で前記縦支柱の外部に位置する外部部分に、前記パネル体を支持する支持体が備える嵌合部が嵌合する被嵌合部を備え、前記支持体は、当該支持体に備えられた嵌合部を前記被嵌合部に嵌合させることで前記キャップ部分に装着自在に構成されている点にある。
【０００７】
この特徴構成によれば、キャップ部分に、パネル体を支持する支持体が備える嵌合部が嵌合する被嵌合部が備えられている。そのため、支持体は、その嵌合部をキャップ部分の被嵌合部に嵌合するだけでキャップ部分に連結できる。
また、被嵌合部は、キャップ部分の装着状態で縦支柱の外部に位置する外部部分に備えられているため、キャップ部分を縦支柱に装着する前はもとより、キャップ部分を縦支柱に装着した後でも、支持体をキャップ部分に連結することができる。
そして、支持体が連結されたキャップ部分を縦支柱に装着することで、キャップ部分を介して支持体を縦支柱に連結できる。
【０００８】
このように、支持体を縦支柱に連結することで、タッププレートを用いることなく支持体を縦支柱に連結できるので、支持体を縦支柱に連結するための構造のコストダウンを図ることができる。また、支持体はキャップ部分に嵌合するだけで支持体に連結できるので、支持体の連結作業の簡素化を図ることができる。
【０００９】
ここで、前記被嵌合部が、前記外部部分の横側面に周方向に沿って複数備えられていると好適である。
【００１０】
この構成によれば、支持体の嵌合部を嵌合させる被嵌合部を選択することで、縦支柱に対する支持体の周方向での位置や平面視での支持体の向きを変更した状態で支持体を縦支柱に連結できる。そのため、支持体の位置や向きを変えた状態で支持体を縦支柱に連結することで、その支持体にて支持するパネル体の縦支柱に対する位置や向きを変更できるため、縦支柱に対するパネル体の設置の自由度を高めることができる。
【００１１】
また、前記支持体と前記キャップ体とでキャップセットを構成していると好適である。
【００１２】
この構成によれば、支持体をキャップ体と組として扱うことで、キャップ体とそのキャップ体の被嵌合部に適切に嵌合する嵌合部を備えた支持体とを組として、支持体の嵌合部をキャップ体の被支持体に嵌合させ易くする等により、キャップ体と支持体とを扱い易くなる。尚、キャップ体１つに対して、複数の支持体を組としてもよい。
【００１３】
また、キャップ体が備えられた柵設備において、前記支持体が、前記パネル体に対して下方から係合して支持する係合部を備え、前記パネル体が、前記係合部に対して上方から係合自在な被係合部を備えていると好適である。
【００１４】
この構成によれば、パネル体を設置するに当たり、パネル体を下降させて、パネル体の被係合部を支持体の係合部に係合させることで、支持体にてパネル体を支持する状態にパネル体を取り付けることができる。このように、パネル体を移動させるだけの簡単な操作で、パネル体を支持体に支持させることができる。
【００１５】
ここで、前記被係合部は、前記パネル体の上端部が支柱並び方向視で逆Ｕ字状に屈曲形成されることで形成されていると好適である。
【００１６】
この構成によれば、パネル体の上端部を逆Ｕ字状に屈曲形成することで被係合部が形成されるので、例えば、別の部材をパネル体に取り付けて被係合部を形成する場合に比べて、被係合部の形成が容易になる。また、パネル体の上端部を屈曲形成することで、パネル体の強度の向上を図ることができる。
【図面の簡単な説明】
【００１７】
【図１】柵設備の斜視図
【図２】棚設備の縦断側面図
【図３】キャップユニットの斜視図
【図４】キャップユニットの分解斜視図
【図５】柵設備の組立作用図
【発明を実施するための形態】
【００１８】
以下、本発明にかかるキャップ体を備えた柵設備の実施形態を図面に基づいて説明する。
図１に示すように、柵設備は、床面Ｆ上に立設された縦支柱１と、隣接する一対の縦支柱１の間に設置されるパネル体２と、を備えて構成されている。柵設備は、縦支柱１を適宜立設し、隣接する一対の縦支柱１のパネル体２を設置することで構成される。ちなみに、図１には、一対の縦支柱１とその一対の縦支柱１の間に設置されるパネル体２のみを図示している。
【００１９】
縦支柱１は、四角筒状のパイプ材にて構成されており、縦支柱１の下端に足部材３が連結されている。そして、アンカーボルト等により足部材３が床面Ｆに連結されることで、縦支柱１が床面Ｆ上に固定状態で立設されるようになっている。
【００２０】
縦支柱１の上端には、当該縦支柱１の上端に被せるキャップ体５と、パネル体２を支持する支持体６と、が設けられている。これら、キャップ体５と支持体６とでキャップセット４が構成されている。
キャップ体５は、縦支柱１の上端に挿入部分１２を挿入することで縦支柱１の上端に装着できるように構成されており、このようにキャップ体５を縦支柱１の上端に装着することで縦支柱１の上端に形成されている開口を塞ぐようになっている。
支持体６は、キャップ体５に対して着脱自在に構成されている。縦支柱１の上端にキャップ体５を装着し且つ当該キャップ体５に支持体６を取り付けた状態で、この支持体６にてパネル体２を支持するように構成されている。
【００２１】
パネル体２は、金属の線材を組み合わせて網状に形成された網状体にて構成されている。つまり、パネル体２は、網状体の周囲を囲うフレーム材は設けられておらず、網状体のみで構成されている。
パネル体２は、上下方向については縦支柱１の高さに対応した長さ等の必要に応じた長さに切断されており、横幅方向については隣接する一対の縦支柱１の間隔に応じた長さに切断されている。
ちなみに、隣接する一対の縦支柱１は、現場では設備の設置状況等により当初予定していた間隔とは異なる間隔で立設される場合がある。このような場合でも、実際に立設する縦支柱１の間隔を確認した後に、現場で必要な横幅に網状体を切断することでパネル体２を形成することができる。
【００２２】
図２に示すように、パネル体２の上端部２ａは、パネル体２の横幅方向視（縦支柱１の並び方向視と同じ方向視であり、以下、パネル横幅方向視と称する）で角ばった逆Ｕ字状に屈曲形成されている。また、パネル体２の下端部２ｂは、パネル体２のパネル横幅方向視で丸まったＵ字状に屈曲形成されている。このようにパネル体２の上端部２ａ及び下端部２ｂを屈曲形成することで、パネル体２の強度アップが図られている。
ちなみに、屈曲形成したパネル体２の上端部２ａは、屈曲形成したパネル体２の下端部２ｂに比べて、パネル体２のパネル前後方向（平面視でパネル横幅方向と直交する方向）に幅広に形成されている。
【００２３】
パネル体２の上端部２ａは、パネル前後方向での内寸が支持体６における係合部１６の前後方向の幅より幅広に形成されている。そのため、パネル体２の上端部２ａは、支持体６の係合部１６に対して上方から係合自在に構成されている。また、パネル体２を係合部１６に係合した状態では、パネル体２の上端部２ａが係合部１６に対してパネル前後方向の両側に位置することで、パネル体２が係合部１６に対してパネル前後方向に移動することが規制されている。
つまり、パネル体２には、係合部１６に対して上方から係合自在な被係合部９を備えており、この被係合部９は、パネル体２の上端部２ａがパネル横幅方向視で逆Ｕ字状に屈曲形成されることで形成されている。
【００２４】
パネル体２の上下方向の中間部が、連結部材７にて縦支柱１に連結される。連結部材７についての詳細な説明は省略するが、連結部材７は、Ｌ字部材を縦支柱１に連結し、そのＬ部材にパネル体２の線材を挟む状態でＩ字部材を連結することで、連結部材７を介してパネル体２を縦支柱１に連結するように構成されている。
そして、パネル体２は、上端部２ａをキャップ体５の係合部１６に係合させた後、パネル体２の上下方向の中間部を連結部材７にて縦支柱１に連結することで設置される。
【００２５】
次に、キャップ体５及び支持体６について説明を加える。キャップ体５及び支持体６を説明するに当たり、これらを縦支柱１に取り付けた状態において、その支持体６にて支持するパネル体２のパネル横幅方向及びパネル前後方向を、そのままキャップ体５及び支持体６のパネル横幅方向及びパネル前後方向と称して説明する。
【００２６】
支持体６は、キャップ体５の被嵌合部１３に嵌合する嵌合部１５と、パネル体２に対して下方から係合してパネル体２を載置支持する係合部１６と、嵌合部１５と係合部１６とを連結する連結部１７と、を備えている。
係合部１６は、連結部１７の上端からパネル横幅方向に延出しており、パネル横幅方向及びパネル前後方向に沿う板状に形成されている。嵌合部１５は、連結部１７のパネル前後方向の両端から上方に延出しており、上下方向及びパネル前後方向に沿う板状に形成されている。
【００２７】
このような嵌合部１５、係合部１６及び連結部１７にて構成された支持体６は、パネル前後方向視で横転したＴ字状に形成されている。また、嵌合部１５は、係合部１６及び連結部１７のパネル前後方向の両側に位置する状態で一対備えられている。
連結部１７は、上下方向及びパネル前後方向に沿う板状に形成されており、係合部１６から連結部１７に亘って連続する補強用の凹部１８が形成されている。
【００２８】
キャップ体５は、縦支柱１に被せるキャップ部分１１と、縦支柱１に挿入する挿入部分１２と、を備えて構成されている。挿入部分１２は、縦支柱１に装着した装着状態（図５（ｂ）参照）において縦支柱１内に位置する部分であり縦支柱１の上端より下方に位置する部分である。また、キャップ部分１１は、装着状態のキャップ体５における縦支柱１の上端より上方に位置する部分である。
【００２９】
キャップ部分１１は、縦支柱１と同様に平面視で矩形状に形成されており、縦支柱１に装着した状態においてキャップ部分１１の横側面が縦支柱１の横側面と同じ平面上に位置する形状に形成されている。
【００３０】
キャップ部分１１は、当該キャップ部分を縦支柱１の上端に装着した状態で縦支柱１の外部に位置する外部部分に、支持体６が備える嵌合部１５が嵌合する被嵌合部１３を備えている。ちなみに、キャップ部分１１の外部部分とは、縦支柱１に装着した状態において支持体６の嵌合部１５を嵌合できる部分であり、キャップ部分１１の側面部分や上面部分が該当する。そのため、支持体６のキャップ体５への嵌合は、キャップ体５を縦支柱１に装着する前でも、キャップ体５を縦支柱１に装着する後でも行うことができる。
【００３１】
被嵌合部１３は、外部部分の横側面に周方向に沿って複数備えられている。説明を加えると、被嵌合部１３は、平面視矩形状のキャップ部分１１における４面の横側面夫々に形成されており、キャップ部分１１には、周方向に沿って４つの被嵌合部１３が備えられている。
４つの被嵌合部１３の夫々は、支持体６における係合部１６を上方から嵌合自在な溝状の嵌合溝１３ａと、嵌合した支持体６を下方から支持する支持部１３ｃと、が形成されており、この嵌合溝１３ａは、一対の嵌合部１５に対応して一対形成されている。また、一対の嵌合溝１３ａの間には、被嵌合部１３に嵌合部１５を嵌合するときに係合部１６が上下方向に移動可能な隙間１３ｂが形成されている。
そのため、支持体６の嵌合部１５を被嵌合部１３に対して上方から嵌合させると、一対の嵌合部１５が一対の嵌合溝１３ａに嵌合し、係合部１６が隙間１３ｂからパネル横幅方向のパネル体２を設置する側に突出するようになっている。また、嵌合した支持体６の連結部１７を支持部１３ｃにて支持することで、支持体６が被嵌合部１３から下方に抜けることが防止されている。
４つの被嵌合部１３は全て同じ形状に形成されている。また、４つの被嵌合部１３の夫々に同時に支持体６を嵌合させることができ、キャップ体５には４つの支持体６を嵌合させることができる。
【００３２】
このように構成された棚設備では、縦支柱１の上端にキャップ体５を装着し、その装着したキャップ体５に支持体６を嵌合させることで、キャップ体５を利用して支持体６を縦支柱１に連結することができる。そのため、支持体６を縦支柱１に固定するためのタッププレートが必要なくコストの低下を図ることができるとともに、支持体６をキャップ体５に嵌合するだけの簡単な操作で支持体６を縦支柱１に取り付けることができるので、支持体６を縦支柱１に連結する作業の簡素化も図ることができる。
【００３３】
〔別実施形態〕
（１）上記実施形態では、キャップ体５を、キャップ部分１１と挿入部分１２とを備えて、挿入部分１２を縦支柱１に挿入させることでキャップ体５を縦支柱１に装着させたが、キャップ体５のキャップ部分１１に、縦支柱１に装着した状態で縦支柱１の側周囲に位置するサイド部分を備えて、サイド部分にて縦支柱１の側周囲を覆うようにしてキャップ体５を縦支柱１に装着させてもよい。ちなみに、このキャップ部分１１のサイド部分における側面部分も外部部分に該当し、このサイド部分に被係合部９を備えてもよい。
【００３４】
（２）上記実施形態では、被嵌合部１３を、キャップ部分１１の横側面に周方向に沿って複数備えたが、被嵌合部１３を、キャップ部分１１の横側面に周方向に１つのみ備えてもよい。また、被嵌合部１３を、キャップ部分１１の横側面に周方向に沿って４つ備えたが、被嵌合部１３を、キャップ部分１１の横側面に周方向に沿って２つ又は３つ、或いは、５つ以上設けてもよく、キャップ部分１１に備える被嵌合部１３の数は適宜変更してもよい。
また、上記実施形態では、被嵌合部１３を、キャップ部分１１の横側面に備えたが、被嵌合部１３を、キャップ部分１１の上面に備えてもよい。
【００３５】
（３）上記実施形態では、パネル体２に被係合部９を備えて、係合により支持体６にてパネル体２を支持したが、パネル体２をボルト等により支持体６に連結することにより支持体６にてパネル体２を支持してもよい。
【００３６】
（４）上記実施形態では、パネル体２の上端部２ａを逆Ｕ字状に屈曲形成することで被係合部９を形成したが、パネル体２の上端部２ａに、係合用部材を取り付けることで被係合部９を形成してもよい。また、パネル体２の上端部２ａを屈曲させて被係合部９を形成する形状は角ばった逆Ｕ字状に限らず、丸まったＵ字状や逆Ｖ字状等、適宜変更してもよい。
【００３７】
（５）上記実施形態では、支持体６をキャップ体５に対して回転させずに下方に移動させることで、支持体６をキャップ体５に嵌合させるように構成したが、支持体６をキャップ体５に対して回転させながら下方に移動させることで、ねじ嵌合により支持体６をキャップ体５に嵌合させるように構成してもよい。
【００３８】
（６）上記実施形態では、パネル体２を、金属の線材を組み合わせて網状に形成された網状体にて構成したが、金属の板材にて構成してもよい。また、パネル体の材質は樹脂材等の金属材以外の材質でもよい。
【符号の説明】
【００３９】
１    縦支柱
２    パネル体
５    キャップ体
６    支持体
９    被係合部
１１    キャップ部分
１３    被嵌合部
１５    嵌合部
１６    係合部
【図１】
2015161121.tif 000003
【図２】
2015161121.tif 000004
【図３】
2015161121.tif 000005
【図４】
2015161121.tif 000006
【図５】
2015161121.tif 000007